(57)【要約】【課題】ユーザが実際の仕上がりの状態をより具体的にイメージすることができる毛髪見本用表示装置を提供する。【解決手段】毛髪見本用表示装置１０Ａは、複数の毛髪５２Ａを束ねた毛髪見本５０Ａを保持する見本保持部１４Ａと、前記見本保持部１４Ａに保持される前記毛髪５２Ａに動きを与える回転体１６Ａとを備える。毛髪見本用表示装置１０Ａは、毛髪５２Ａに動きを与えることにより、課題を解決する。【選択図】図４
2014171518.tif 000002
【特許請求の範囲】
【請求項１】
複数の毛髪を束ねた毛髪見本を保持する見本保持部と、
前記見本保持部に保持される前記毛髪に動きを与える変化付与部と
を備えることを特徴とする毛髪見本用表示装置。
【請求項２】
前記変化付与部は、前記見本保持部から吊り下げられた前記毛髪の裏側から前記毛髪に動きを与えることを特徴とする請求項１記載の毛髪見本用表示装置。
【請求項３】
前記変化付与部は、水平軸を中心に回転する回転体であることを特徴とする請求項２記載の毛髪見本用表示装置。
【請求項４】
前記回転体は、多角形の柱状体であることを特徴とする請求項３記載の毛髪見本用表示装置。
【請求項５】
前記回転体は、透明部材で形成されていることを特徴とする請求項４記載の毛髪見本用表示装置。
【発明の詳細な説明】
【技術分野】
【０００１】
本発明は、毛髪見本用表示装置に関するものである。
【背景技術】
【０００２】
理髪店や美容院等において、染毛の施術をする際に、顧客に対し髪質や色彩等を提示するために毛髪見本用表示具が用いられている（例えば、特許文献１）。
【０００３】
特許文献１に記載の毛髪見本用表示具は、複数本の毛が結束されて形成された毛束部材と、毛束部材の端部を吊り下げる吊り下げ具とを有する毛髪見本を、台紙に複数取り付けて用いられる。上記特許文献１に記載の毛髪見本用表示具によれば、原毛の色を示す毛束部材と、その原毛を染毛剤で染毛処理した後の毛髪の色を示す毛束部材とを取り付けた状態で顧客に提示することにより、顧客は染毛処理による毛髪の色の変化を確認することができる。
【先行技術文献】
【特許文献】
【０００４】
【特許文献１】特開2003-52452号公報
【発明の概要】
【発明が解決しようとする課題】
【０００５】
しかしながら上記特許文献１に記載の毛髪見本用表示具は、見本となる毛髪が単に吊り下げられているだけなので、ユーザが実際の仕上がりの状態をより具体的にイメージすることが困難である、という問題があった。
【０００６】
そこで、本発明は、ユーザが実際の仕上がりの状態をより具体的にイメージすることができる毛髪見本用表示装置を提供することを目的とする。
【課題を解決するための手段】
【０００７】
本発明に係る毛髪見本用表示装置は、毛髪見本を保持する見本保持部と、前記見本保持部に保持される毛髪に動きを与える変化付与部とを備えることを特徴とする。
【発明の効果】
【０００８】
本発明によれば、毛髪に動きを与えることにより、ユーザが実際の仕上がりの状態をより具体的にイメージすることができる。
【図面の簡単な説明】
【０００９】
【図１】本発明の実施形態に係る毛髪見本用表示装置の全体構成を示す斜視図である。
【図２】本発明の実施形態に係る毛髪見本用表示装置の構成を示す図であり図２Ａは縦断面図、図２Ｂは横断面図である。
【図３】本発明の実施形態に係る毛髪見本用表示装置の駆動部の構成を示す部分拡大縦断面図である。
【図４】本発明の実施形態に係る毛髪見本用表示装置の使用状態１を示す斜視図である。
【図５】本発明の実施形態に係る毛髪見本用表示装置の使用状態２を示す斜視図である。
【図６】本発明の変形例（１）に係る毛髪見本用表示装置に用いる毛髪見本の構成を示す正面図である。
【図７】本発明の変形例（１）に係る毛髪見本用表示装置の使用状態１を示す斜視図である。
【図８】本発明の変形例（１）に係る毛髪見本用表示装置の使用状態２を示す斜視図である。
【図９】本発明の変形例（２）に係る毛髪見本用表示装置の全体構成を示す斜視図である。
【図１０】本発明の変形例（３）に係る毛髪見本用表示装置の全体構成を示す斜視図である。
【図１１】本発明の変形例（４）に係る毛髪見本用表示装置の全体構成を示す斜視図である。
【発明を実施するための形態】
【００１０】
以下、図面を参照して本発明の実施形態について詳細に説明する。
【００１１】
図１に示すように毛髪見本用表示装置１０Ａは、本体１２Ａと、見本保持部１４Ａと、変化付与部としての回転体１６Ａを備える。見本保持部１４Ａ及び回転体１６Ａは、本体１２Ａに支持されている。
【００１２】
本体１２Ａは、基台１８Ａと、当該基台１８Ａの長手方向の両端に一つずつ設けられた支柱２０Ａとを有する。支柱２０Ａにはそれぞれ上端部分に係合部２２が形成されている。係合部２２は、上方に向かって開口している溝で構成される。
【００１３】
見本保持部１４Ａは、棒状部材で構成され、両端が係合部２２に差し込まれることにより、一対の支柱２０Ａ間に架け渡された状態で着脱自在に支持されている。
【００１４】
回転体１６Ａは、一対の支柱２０Ａ間に配置され、支柱２０Ａに回転可能に支持されている。回転体１６Ａは、四角柱状の部材で構成されており、一対の側板２６，２７と、当該一対の側板２６，２７間に設けられた胴部２９とを有する。回転体１６Ａを構成する材料は特に限定されず、アルミニウムやステンレス等の金属、または合成樹脂で形成してもよい。回転体１６Ａは、透明の合成樹脂で形成することもできる。
【００１５】
本実施形態の場合、側板２６，２７は正方形の板状部材、胴部２９は矩形状の板状部材で形成された複数の胴板３１を組み合わせて形成される。胴部２９は、４つの胴板３１をネジなどの連結具で長辺同士を連結して一体化してもよい。また胴部２９は、折り曲げ成形により横断面がコ字状の部材を形成し、開口部分を１つの胴板３１で塞いで連結具で連結して一体化してもよい。このように形成された側板２６，２７と胴部２９は、連結具により連結され一体化されている。
【００１６】
図２に示すように、回転体１６Ａは、一端の側板２６に軸２８が設けられている。軸２８は、一端が側板２６に固定された支持部３０に差し込まれ当該支持部３０に固定されている。また軸２８は、他端が支柱２０Ａに形成された穴３２にすべり軸受け３４を介して差し込まれている。これにより側板２６に固定された軸２８は、支柱２０Ａに対し回転可能に支持されている。回転体１６Ａの他端の側板２７側には、駆動機構３６が設けられている。
【００１７】
図３に示すように、駆動機構３６は、支柱２０Ａに固定されたフランジ３８と、当該フランジ３８に設けられた固定板４０及び軸受４２と、固定板４０に固定された駆動部４５とを備える。フランジ３８は、支柱２０Ａに連結具３７で固定されている。
【００１８】
フランジ３８は円筒部３９を有する。フランジ３８は、当該円筒部３９に内輪４１を嵌め込むことにより、軸受４２が設けられている。軸受４２の外輪４３には、従動歯車４４が嵌め込まれている。従動歯車４４は、回転体１６Ａの側板２７に連結具５６（図２Ｂ）で固定されている。
【００１９】
フランジ３８は、円筒部３９の先端において固定板４０の一端が連結具５８で固定されている。固定板４０の他端には、駆動軸４６の軸方向を円筒部３９の軸方向と略平行に配置した状態で、駆動部４５が固定されている。駆動軸４６には原動歯車４８が設けられている。原動歯車４８は、従動歯車４４とかみ合っている。駆動部４５は、本実施形態の場合、直流モータを用いることができる。駆動部４５は、図示しないが、直流電源に電気的に接続されている。
【００２０】
次に上記のように構成された毛髪見本用表示装置１０Ａの動作及び効果について図面を参照して説明する。
【００２１】
図４に示すように毛髪見本用表示装置１０Ａは、毛髪見本５０Ａが装着されている。毛髪見本５０Ａは、複数本の毛髪５２Ａと、当該複数の毛髪５２Ａを毛髪５２Ａの一端において束ねる結束部５４Ａとで構成されている。毛髪見本５０Ａは、結束部５４Ａを見本保持部１４Ａに固定することにより、吊り下げると、毛髪５２Ａの他端が自然に下方に垂れ下がった状態となる。
【００２２】
結束部５４Ａに束ねられた複数の毛髪５２Ａは、結束部５４Ａの一端から他端に向けて色調の濃淡や色彩を徐々に変化させるグラデーションが施されている。結束部５４Ａは、例えば両面テープなどにより見本保持部１４Ａの表面に接着される。このようにして見本保持部１４Ａには複数の毛髪見本５０Ａが保持される。
【００２３】
毛髪見本５０Ａは、一端が見本保持部１４Ａに固定され、中央部分が回転体１６Ａの表面を覆うようにして、他端が自然に垂れ下がり静止した状態で保持されている。毛髪５２Ａは、回転体１６Ａの角Ｐに接触する部分が手前側に押し出され、角Ｐより下側の部分において回転体１６Ａの胴板３１の表面に倣うようにして垂れ下がっている。したがって毛髪５２Ａは、回転体１６Ａの角Ｐに接触する部分で手前側にゆるやかに湾曲する。
【００２４】
この状態で回転体１６Ａ内に設けられた駆動部４５を起動すると（図３）、駆動部４５の駆動軸４６が回転し始める。駆動軸４６には原動歯車４８が設けられているので、当該原動歯車４８が駆動軸４６と一体となって回転する。原動歯車４８の回転は、かみ合っている従動歯車４４に伝達される。従動歯車４４は回転体１６Ａの側板２７に固定されているので、従動歯車４４と一体となって回転体１６Ａが図４中の矢印方向へ回転する（図４）。
【００２５】
回転体１６Ａが回転すると、図５に示すように、回転に伴い回転体１６Ａの角Ｐの位置が毛髪５２Ａの一端側から他端側へ移動する。そうすると毛髪５２Ａは、回転体１６Ａの角Ｐによって押し出されてゆるやかに湾曲する部分が一端側から他端側へ移り変わる。したがって回転体１６Ａは、毛髪５２Ａに対し、手前側にゆるやかに湾曲する部分が一端側から他端側へ移動する動きを与えることができる。
【００２６】
このように毛髪見本用表示装置１０Ａは、回転体１６Ａを回転させて毛髪５２Ａに動きを与えることにより、ユーザが実際の仕上がりの状態をより具体的にイメージすることができる。
【００２７】
本実施形態に係る毛髪見本用表示装置１０Ａは、回転体１６Ａが回転するので、周期的に毛髪５２Ａに動きを与えることができる。しかも見本保持部１４Ａに装着された毛髪見本５０Ａは、色調の濃淡や色彩を徐々に変化させるグラデーションが施されているので、色調や色彩が異なる多様な毛髪５２Ａに変化を与えながら同時に表示することができる。
【００２８】
（変形例）
本発明は上記実施形態に限定されるものではなく、本発明の趣旨の範囲内で適宜変更することが可能である。
【００２９】
例えば上記実施形態では、色調の濃淡や色彩を徐々に変化させるグラデーションが施された毛髪見本５０Ａについて説明したが、本発明はこれに限らない。図６に示すように色調や色彩毎に毛髪見本５０Ｂを形成することとしてもよい。このような毛髪見本５０Ｂは、図７に示すように、毛髪見本用表示装置１０Ａに複数装着することができる。例えば、毛髪見本５０Ｂは、結束部５４Ｂを見本保持部１４Ａに着脱自在に固定することとしてもよい。これにより毛髪見本用表示装置１０Ａは、顧客の要望に応じ、適宜毛髪見本５０Ｂを付け替えることができる。このように構成された毛髪見本用表示装置１０Ａは、図８に示すように、見本保持部１４Ａに保持された複数の毛髪見本５０Ｂの毛髪５２Ｂに変化を与えながら、同時に表示することができる。
【００３０】
上記実施形態では、毛髪見本用表示装置１０Ａは、色調の濃淡や色彩を徐々に変化させるグラデーションが施された毛髪見本５０Ａを装着する場合について説明したが、本発明はこれに限らない。図９に示す毛髪見本用表示装置１０Ｂは、本体１２Ｂが上記実施形態に比べて長手方向の長さが短く形成されている。より具体的には、見本保持部１４Ｂ、回転体１６Ｂ、及び基台１８Ｂの長手方向の長さが、上記実施形態に比べて短く、すなわち、毛髪見本５０Ｂを１個又は２個程度装着し得る大きさに形成されている。これにより本変形例に係る毛髪見本用表示装置１０Ｂは、上記実施形態に比べて小型化することができる。
【００３１】
上記実施形態では、回転体１６Ａが、四角柱状の部材である場合について説明したが、本発明はこれに限らず、部分的に毛髪５２Ａを前面に押し出すことができれば足りる。例えば図１０に示す毛髪見本用表示装置１０Ｃは、胴板３１に変えて複数（本図の場合４個）の棒状部材６０で回転体１６Ｃが構成されている。この場合、棒状部材６０は、１対の側板５９間に配置され、側板５９の角Ｐ同士を連結するように固定する。本変形例に係る毛髪見本用表示装置１０Ｃは、棒状部材６０によって毛髪５２Ａを手前側に押し出すことができるので、上記実施形態と同様の効果を奏することができる。また上記実施形態では、見本保持部１４Ａ及び支柱２０Ａは、角柱状の部材で形成した場合について図示したが（図１）、本発明はこれに限らず、図１０に示すように、見本保持部１４Ｂを円筒状の部材で形成したり、支柱２０Ｂを先端が丸みを帯びた部材で形成したりしてもよい。
【００３２】
また図１１に示す毛髪見本用表示装置１０Ｄは、回転体１６Ｄが三角柱状の部材で形成されている。本変形例に係る毛髪見本用表示装置１０Ｄは、三角柱状の部材の角Ｐによって毛髪５２Ａを手前側に押し出すことができるので、上記実施形態と同様の効果を奏することができる。さらに回転体は、図示しないが五角柱状等の部材で形成してもよい。
【００３３】
上記実施形態では、変化付与部が、回転体１６Ａである場合について説明したが、本発明はこれに限らず、毛髪５２Ａの裏側に空気を送り出し、当該空気の力で毛髪５２Ａに変化を与える送風部で構成してもよい。
【００３４】
上記実施形態では、回転体１６Ａが、駆動部４５により駆動する場合について説明したが、本発明はこれに限らず、回転体１６Ａに直結したハンドルを設け、当該ハンドルを回転させることにより回転体１６Ａを手動で回転することとしてもよい。
【符号の説明】
【００３５】
１０Ａ    毛髪見本用表示装置
１４Ａ    見本保持部
１６Ａ    回転体（変化付与部）
５０Ａ    毛髪見本
５２Ａ    毛髪
【図１】
2014171518.tif 000003
【図２】
2014171518.tif 000004
【図３】
2014171518.tif 000005
【図４】
2014171518.tif 000006
【図５】
2014171518.tif 000007
【図６】
2014171518.tif 000008
【図７】
2014171518.tif 000009
【図８】
2014171518.tif 000010
【図９】
2014171518.tif 000011
【図１０】
2014171518.tif 000012
【図１１】
2014171518.tif 000013